(57)【特許請求の範囲】
【請求項１】
複数ページの回収書類のページ画像を順番に読み取る画像読取装置と、
基準ページ順が設定されていない場合、読み取られた前記回収書類のページ数を基準ページ数として特定するとともに、前記回収書類の前記ページ画像の順序を基準ページ順として設定する基準ページ順設定部と、
前記基準ページ順が設定されている場合、読み取られた前記回収書類を前記基準ページ数ごとに複数の部分書類に分割し、前記複数の部分書類のそれぞれについて、前記部分書類のページ画像の順序が前記基準ページ順となるように、前記部分書類のページ画像の順序を変更するページ順補正部と、
を備えることを特徴とする画像処理装置。
【請求項２】
最後の前記回収書類のページ画像の読み取りが完了してから所定の時間内に前記回収書類のページ画像の読み取りを実行する際に、ユーザー操作に基づいて、前記基準ページ順および前記基準ページ数を継続して使用するか否かを判定する制御部をさらに備え、
前記制御部は、前記基準ページ順および前記基準ページ数を継続して使用しないと判定した場合、今回の前記回収書類のページ画像の読み取りを実行する前に、前記基準ページ順および前記基準ページ数を破棄すること、
を特徴とする請求項１記載の画像処理装置。
【請求項３】
前記基準ページ順設定部は、文字認識によって前記回収書類の前記ページ画像内の文字の向きを特定し、特定した前記文字の向きに基づいて、前記回収書類のすべての前記ページ画像の向きを一定の方向に揃え、
前記ページ順補正部は、文字認識によって前記回収書類の前記ページ画像内の文字の向きを特定し、特定した前記文字の向きに基づいて、前記回収書類のすべての前記ページ画像の向きを一定の方向に揃えた後に、前記部分書類のページ画像の順序が前記基準ページ順となるように、前記部分書類のページ画像の順序を変更すること、
を特徴とする請求項１記載の画像処理装置。
【請求項４】
読み取られた前記回収書類を前記基準ページ数ごとに複数の部分書類に分割した場合、端数のページが発生する場合、警告する制御部をさらに備えることを特徴とする請求項１記載の画像処理装置。
【発明の詳細な説明】
【技術分野】
【０００１】
本発明は、画像処理装置に関するものである。
【背景技術】
【０００２】
ある画像処理装置は、複数ページの書類から各ページの画像を順番に読み取り、ページ順を変更して画像を出力している（例えば特許文献１参照）。
【先行技術文献】
【特許文献】
【０００３】
【特許文献１】特開平６−１８１５１６号公報
【発明の概要】
【発明が解決しようとする課題】
【０００４】
文章などの同一の内容が紙面に予め印刷され、複数の対象者にそれぞれ配布され、複数の対象者の記入後に回収される、アンケート用紙、試験用紙などの複数の回収書類の画像読取を行う場合、各対象者の回収書類が複数ページを有するとき、回収時などにページ順が乱れることがあり、手作業でページ順を正しく揃えてから、回収書類の画像読取が行われる。
【０００５】
しかしながら、上述の画像処理装置では、複数人から回収された回収書類のページ画像を正しいページ順を自動的に揃えることは困難である。
【０００６】
本発明は、上記の問題に鑑みてなされたものであり、複数人から回収された複数の回収書類から読み取られたページ画像のページ順を自動的に正しくする画像処理装置を得ることを目的とする。
【課題を解決するための手段】
【０００７】
本発明に係る画像処理装置は、複数ページの回収書類のページ画像を順番に読み取る画像読取装置と、基準ページ順が設定されていない場合、読み取られた前記回収書類のページ数を基準ページ数として特定するとともに、前記回収書類の前記ページ画像の順序を基準ページ順として設定する基準ページ順設定部と、前記基準ページ順が設定されている場合、読み取られた前記回収書類を前記基準ページ数ごとに複数の部分書類に分割し、前記複数の部分書類のそれぞれについて、前記部分書類のページ画像の順序が前記基準ページ順となるように、前記部分書類のページ画像の順序を変更するページ順補正部とを備える。
【発明の効果】
【０００８】
本発明によれば、複数人から回収された複数の回収書類から読み取られたページ画像のページ順を自動的に正しくする画像処理装置が得られる。
【０００９】
本発明の上記又は他の目的、特徴および優位性は、添付の図面とともに以下の詳細な説明から更に明らかになる。
【図面の簡単な説明】
【００１０】
【図１】図１は、本発明の実施の形態に係る画像処理装置の構成を示すブロック図である。
【図２】図２は、図１に示す画像処理装置１の動作を説明するフローチャートである。
【図３】図３は、図１に示す画像処理装置１の動作を説明する図である。
【発明を実施するための形態】
【００１１】
以下、図に基づいて本発明の実施の形態を説明する。
【００１２】
図１は、本発明の実施の形態に係る画像処理装置の構成を示すブロック図である。図１に示す画像処理装置１は、複写機であるが、スキャナー、複合機などでもよい。
【００１３】
この画像処理装置１は、印刷装置１１と、画像読取装置１２と、記憶装置１３と、演算処理装置１４と、表示装置１５と、入力装置１６とを備える。
【００１４】
印刷装置１１は、画像処理装置１４による各種画像処理後の画像データに基づいて原稿画像を、例えばＣＭＹＫ（シアン・マゼンタ・イエロー・ブラック）色のトナーを使用して電子写真プロセスで印刷する内部装置である。
【００１５】
また、画像読取装置１２は、自動原稿送り器によって、書類の複数ページの画像を光学的に連続的に読み取り、各ページ画像の画像データをＲＧＢデータとして生成する内部装置である。
【００１６】
この実施の形態では、画像読取装置１２は、複数ページの回収書類のページ画像を順番に読み取る。なお、１人の対象者から回収される回収書類は複数ページを有する。
【００１７】
また、記憶装置１３は、フラッシュメモリーなどの、書き換え可能な不揮発性の記憶装置であり、各種データやプログラムを記憶している。
【００１８】
また、演算処理装置１４は、画像読取装置１２などで生成された画像データに対して、各種画像処理を行う。
【００１９】
演算処理装置１４は、ＡＳＩＣ（Application Specific Integrated Circuit）やコンピューターで実現され、制御部３１、基準ページ順設定部３２、およびページ順補正部３３を有する。
【００２０】
制御部３１は、画像読取装置１２などの内部装置を制御する処理部であって、画像読取装置１２に原稿画像の読取を実行させ、画像読取装置１２から原稿画像の画像データを取得する。
【００２１】
基準ページ順設定部３２は、基準ページ順が設定されていない場合、読み取られた回収書類のページ数を基準ページ数として特定するとともに、回収書類のページ画像の順序を基準ページ順として設定する。
【００２２】
ページ順補正部３３は、基準ページ順が設定されている場合、読み取られた回収書類を基準ページ数ごとに複数の部分書類に分割し、複数の部分書類のそれぞれについて、部分書類のページ画像の順序が基準ページ順となるように、部分書類のページ画像の順序を変更する。
【００２３】
なお、制御部３１は、最後の回収書類のページ画像の読み取りが完了してから所定の時間内に回収書類のページ画像の読み取りを実行する際に、基準ページ順および基準ページ数が設定されている場合、基準ページ順および基準ページ数を継続して使用するか否かを問い合わせるメッセージを表示装置１５に表示し、その問合せに対する回答としてのユーザー操作を入力装置１６で検出し、そのユーザー操作に基づいて、基準ページ順および基準ページ数を継続して使用するか否かを判定する。そして、制御部３１は、基準ページ順および基準ページ数を継続して使用しないと判定した場合、今回の回収書類のページ画像の読み取りを実行する前に、基準ページ順および基準ページ数を破棄する。
【００２４】
また、基準ページ順設定部３２は、文字認識によって回収書類のページ画像内の文字の向きを特定し、特定した文字の向きに基づいて、回収書類のすべてのページ画像の向きを一定の方向に揃え、ページ順補正部３３は、文字認識によって回収書類のページ画像内の文字の向きを特定し、特定した文字の向きに基づいて、回収書類のすべてのページ画像の向きを一定の方向に揃えた後に、部分書類のページ画像の順序が基準ページ順となるように、部分書類のページ画像の順序を変更する。
【００２５】
また、制御部３１は、読み取られた回収書類を基準ページ数ごとに複数の部分書類に分割した場合、端数のページが発生する場合、回収書類のページ数が正しくない旨の警告メッセージを表示装置１５に表示することで警告する。なお、制御部３１は、表示装置１５において、警告メッセージとともに、読み取られた回収書類のページ画像をプレビュー表示して、例えば読み取られた回収書類のページ画像の一部を削除して、端数のページを削除できるようにしてもよい。
【００２６】
次に、上記画像処理装置１の動作について説明する。図２は、図１に示す画像処理装置１の動作を説明するフローチャートである。図３は、図１に示す画像処理装置１の動作を説明する図である。
【００２７】
ユーザーは、複数人の対象者Ｎ１〜Ｎｍから、配布した書類を回収書類として回収する。そして、ユーザーは、１人の対象者Ｎｉ（図３では、Ｎ１）の回収書類を自動原稿送り器にセットし、その回収書類の画像読取を画像処理装置１に実行させる。
【００２８】
画像処理装置１では、制御部３１は、入力装置１６に対するユーザー操作に従って、画像読取装置１２に画像読取を実行させ（ステップＳ１）、画像読取装置１２から回収書類の各ページ画像を取得する（ステップＳ２）。
【００２９】
次に、制御部３１は、基準ページ順および基準ページ数が設定されているか否かを判定する（ステップＳ３）。
【００３０】
基準ページ順および基準ページ数が設定されていない場合、基準ページ順設定部３２は、取得されたページ画像に基づいて、読み取られた回収書類のページ数を基準ページ数として特定し、記憶装置１３に格納するとともに、回収書類のページ画像の順序を基準ページ順として設定する（ステップＳ４）。また、この場合、制御部３１は、この回収書類のページ画像の画像データを、対象者１人分の回収書類として記憶装置１３に格納する。
【００３１】
基準ページ順および基準ページ数が設定されている場合、ページ順補正部３３は、読み取られた回収書類を基準ページ数ごとに複数の部分書類に分割し、複数の部分書類のそれぞれについて、部分書類のページ画像の順序が基準ページ順となるように、部分書類のページ画像の順序を変更する（ステップＳ５）。また、この場合、制御部３１は、ページ画像の順序が揃えられた後の各部分書類のページ画像の画像データを、対象者１人分の回収書類として記憶装置１３に格納する。
【００３２】
これにより、例えば図３に示す場合、対象者Ｎ２，Ｎ３の回収書類の６ページ分のページ画像がまとめて連続的に読み取られ、３ページ（基準ページ）ずつ、２つの部分書類と見做され、各部分書類について、ページ画像の順序が、基準ページ順に合わせられる。
【００３３】
ページ画像の順序の変更後、制御部３１は、変更後のページ画像の順序で、各部分書類のページ画像の画像データを記憶装置１３に格納したり、各部分書類のページ画像の印刷を行ったりする。
【００３４】
具体的には、ページ順補正部３３は、基準ページ順および基準ページ数の設定に使用した回収書類のページ画像のうち、部分書類の各ページ画像に最も近いページ画像を特定し、特定したページ画像の順番と同一になるように、部分書類のページ画像の順番を変更する。
【００３５】
例えば、ページ順補正部３３は、取得したページ画像および基準ページ順および基準ページ数の設定に使用した回収書類のページ画像において、手書き部分を除去した後、基準ページ順および基準ページ数の設定に使用した回収書類のページ画像のうち、部分書類の各ページ画像に最も近いページ画像を特定するようにしてもよい。
【００３６】
以上のように、上記実施の形態によれば、画像読取装置１２は、複数ページの回収書類のページ画像を順番に読み取る。基準ページ順設定部３２は、基準ページ順が設定されていない場合、読み取られた回収書類のページ数を基準ページ数として特定するとともに、回収書類のページ画像の順序を基準ページ順として設定する。ページ順補正部３３は、基準ページ順が設定されている場合、読み取られた回収書類を基準ページ数ごとに複数の部分書類に分割し、複数の部分書類のそれぞれについて、部分書類のページ画像の順序が基準ページ順となるように、部分書類のページ画像の順序を変更する。
【００３７】
これにより、複数人から回収された複数の回収書類から読み取られたページ画像のページ順が自動的に正しくなる。また、２回の画像読取（最初の１人分の回収書類の画像読取、および残りの対象者の回収書類の画像読取）で、すべての対象者の回収書類から読み取られたページ画像のページ順を自動的に正しくすることができる。
【００３８】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００３９】
例えば、上記実施の形態において、回収書類が両面印刷されたものである場合、回収書類の１枚の表（おもて）面と裏面とを、表面、裏面の順で、それぞれ１ページとしてページ画像を読み取り、上述したものと同様に処理すればよい。つまり、この場合、１枚目の回収書類の表（おもて）面が第１ページとされ、１枚目の回収書類の裏面が第２ページとされ、２枚目の回収書類の表（おもて）面が第３ページとされ、２枚目の回収書類の裏面が第４ページとされる。
【産業上の利用可能性】
【００４０】
本発明は、例えば、複合機、スキャナーなどの画像形成装置に適用可能である。
【符号の説明】
【００４１】
１２  画像読取装置
３２  基準ページ順設定部
３３  ページ順補正部
【図１】
0006270060.tif 000002
【図２】
0006270060.tif 000003
【図３】
0006270060.tif 000004